【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
送達のために圧縮されて展開時に自己拡張するように構成される血管内インプラントであって、
近位端、遠位端、及び、貫通して延びる内腔を有する自己拡張する管状ボディを備え、前記ボディは、金属であるとともに、複数の支柱を備え、前記複数の支柱は、複数のジグザグ支柱により形成される単一の遠位リングと、複数のジグザグ支柱により形成される単一の近位リングとを形成し、前記自己拡張する管状ボディは、前記自己拡張する管状ボディが前記単一の遠位リングと前記単一の近位リングとの間に単一の開放小室列をこの単一の開放小室列よりも遠位端側又は近位端側に閉じられた小室列を形成することなく形成するように、前記遠位リング及び前記近位リングの内部に配置されるジグザグ支柱の全部ではないが少なくとも１つを接続する少なくとも１つのブリッジを更に備え、前記少なくとも１つのブリッジが、ブリッジ部材の中心ゾーンに、または隣接して、配置された少なくとも１つのアンカーを備え、前記アンカーは前記管状ボディの外面にわたって伸長する円筒へ接線方向に構成される、
前記管状ボディは、該管状ボディを外径の範囲に沿って圧縮するために必要とされる径方向力の大きさの指標である圧縮力曲線を有するとともに、前記管状ボディがその範囲が少なくとも約３ｍｍ以上である外径の範囲に沿って径方向に自己拡張するときに前記管状ボディにより及ぼされる径方向力の大きさの指標である拡張力曲線を有し、前記拡張力曲線に沿う径方向力の変化は、前記外径の範囲に沿って２ニュートン（Ｎ）以下である、
血管内インプラント。
【請求項２】
前記拡張力曲線に沿う径方向力は、前記外径の範囲に沿って１ニュートン（Ｎ）以下だけ変化する請求項１に記載の血管内インプラント。
【請求項３】
前記外径の範囲が、約３ｍｍから少なくとも約６ｍｍである請求項１に記載の血管内インプラント。
【請求項４】
前記自己拡張する管状ボディの３ｍｍ及び６ｍｍの両方における径方向拡張力が２ニュートン（Ｎ）以下である請求項３に記載の血管内インプラント。
【請求項５】
前記自己拡張する管状ボディが約１５ｍｍ以下の長さを有する請求項１に記載の血管内インプラント。
【請求項６】
前記外径の範囲が、約１．５ｍｍから約５ｍｍ、及び約２ｍｍから約７．５ｍｍのうちの一つである請求項１に記載の血管内インプラント。
【請求項７】
近位端、遠位端、及び、貫通して延びる内腔を有する自己拡張する管状ボディを備え、前記ボディは、金属であるとともに、複数の金属支柱を備え、前記自己拡張する管状ボディが単一のジグザグ遠位リングと単一のジグザグ近位リングとから成り、前記遠位リングと前記近位リングとの間に単一の開放小室列を形成するために前記遠位リング及び前記近位リングの内部に配置される支柱のうちの一方の少なくとも１つが接続され、少なくとも１つのブリッジが前記遠位リングと前記近位リングとの間で延び、前記ブリッジが少なくとも少なくとも１つのアンカーを備え、前記少なくとも１つのプラークアンカーが前記管状ボディによって形成された円形形状から接線方向に突出しており、
前記管状ボディは、該管状ボディを外径の範囲の全体にわたって圧縮するために必要とされる径方向力の大きさの指標である圧縮力曲線を有するとともに、前記管状ボディが外径の範囲の全体にわたって径方向に自己拡張するときに前記管状ボディにより及ぼされる径方向力の大きさの指標である拡張力曲線を有し、前記範囲の全体にわたる任意の直径における前記拡張力曲線と前記圧縮力曲線との間の差は、前記管状ボディが少なくとも約２ｍｍの外径の範囲の全体にわたって径方向に自己拡張するときに約１ニュートン（Ｎ）以下である、
血管内インプラント。
【請求項８】
前記拡張力曲線と前記圧縮力曲線との間の差が少なくとも約３ｍｍの範囲にわたる請求項７に記載の血管内インプラント。
【請求項９】
前記自己拡張する管状ボディが約８ｍｍ以下の長さを有する請求項７に記載の血管内インプラント。
【請求項１０】
前記自己拡張する管状ボディの非制約拡張直径が約６ｍｍである請求項７に記載の血管内インプラント。
【請求項１１】
前記外径の範囲の全体にわたる径方向拡張力が約３ニュートン（Ｎ）である請求項７に記載の血管内インプラント。
【請求項１２】
前記外径の範囲が前記血管内インプラントのための前記拡張力曲線の作業部分に相当する請求項７に記載の血管内インプラント。
【請求項１３】
前記外径の範囲が、約１．５ｍｍ〜約５ｍｍ、及び約２ｍｍ〜約７．５ｍｍのうちの一つである請求項７に記載の血管内インプラント。
【請求項１４】
送達のために圧縮されて展開時に自己拡張するように構成される血管内インプラントであって、
近位端、遠位端、及び、貫通して延びる内腔を有する自己拡張する管状ボディであって、前記ボディが、金属であるとともに、複数の支柱を備え、前記自己拡張する管状ボディがジグザグ最遠位リングとジグザグ最近位リングとを備え、前記自己拡張する管状ボディが単一の小室の列のみを形成し、前記小室列が、前記最遠位リング及び前記最近位リングの内側に配置される支柱間に形成される少なくとも１つの開放小室を備える、自己拡張する管状ボディと、中線の両側に配置される２つのアンカーを備える少なくとも１つのブリッジと、前記第１及び第２のＶ屈曲間に位置される放射線不透過性マーカーとを備え、ここで、第１のアンカーが、前記第２のアンカーとは反対の前記マーカーの側に位置しており、
前記管状ボディは、該管状ボディを外径の範囲にわたって圧縮するために必要とされる径方向力の大きさの指標である圧縮力曲線を有するとともに、前記管状ボディが外径の範囲が少なくとも約３ｍｍである外径の範囲にわたって径方向に自己拡張するときに前記管状ボディにより及ぼされる径方向力の大きさの指標である拡張力曲線を有し、圧縮力が前記外径の範囲にわたって拡張力よりも大きく、前記圧縮力曲線及び前記拡張力曲線の径方向力の間の差は、前記外径の範囲にわたって約２ニュートン（Ｎ）以下である、
血管内インプラント。
【請求項１５】
前記圧縮力曲線及び前記拡張力曲線の径方向力の間の差は、前記外径の範囲にわたって約１ニュートン（Ｎ）以下である請求項１４に記載の血管内インプラント。
【請求項１６】
前記血管内インプラントが４フレンチ（Ｆｒ）デバイス又は６フレンチ（Ｆｒ）デバイスである請求項１４に記載の血管内インプラント。
【請求項１７】
前記外径の範囲は、約７．５ｍｍから約３ｍｍ、約５．５ｍｍから約１．５ｍｍ、及び、約６ｍｍから約３ｍｍのうちの１つである請求項１４に記載の血管内インプラント。
【請求項１８】
前記外径の範囲は、約１．５ｍｍから約５ｍｍ、及び、約２ｍｍから約７．５ｍｍのうちの１つである請求項１４に記載の血管内インプラント。
【請求項１９】
前記外径の範囲は、３ｍｍから約６．５ｍｍを含み、前記圧縮力曲線と前記拡張力曲線に沿った各々の点における前記圧縮力曲線と前記拡張力曲線との間の径方向力の差は、約１ニュートン（Ｎ）以下である請求項１４に記載の血管内インプラント。
【請求項２０】
前記拡張力曲線に沿う径方向力は、前記外径の範囲にわたって約１ニュートン（Ｎ）以下だけ変化する請求項１４に記載の血管内インプラント。
【請求項２１】
前記自己拡張する管状ボディの非制約拡張直径が約６ｍｍである請求項１４に記載の血管内インプラント。
【請求項２２】
前記外径の範囲にわたって径方向拡張力が約３ニュートン（Ｎ）以下である請求項１４に記載の血管内インプラント。
【請求項２３】
前記外径の範囲が前記血管内インプラントのための前記拡張力曲線の作業部分に相当する請求項１４に記載の血管内インプラント。
【請求項２４】
近位端、遠位端、及び、約中心軸を貫通して延びる内腔を有する自己拡張する管状ボディを備え、前記ボディが複数の金属支柱を備え、
前記管状ボディは、少なくとも約３ｍｍの直径の範囲にわたって径方向に拡張できるとともに、前記拡張範囲にわたって約２ニュートン（Ｎ）以下の径方向拡張変化を有する、
血管内タック。
【請求項２５】
前記自己拡張する管状ボディの前記径方向拡張力が前記直径の範囲に沿って約１ニュートン（Ｎ）以下だけ変化する請求項２４に記載の血管内タック。
【請求項２６】
前記直径の範囲が約３ｍｍから少なくとも約６ｍｍである請求項２４に記載の血管内タック。
【請求項２７】
３ｍｍ及び６ｍｍの両方における前記自己拡張する管状ボディの前記径方向拡張力が２ニュートン（Ｎ）以下である請求項２６に記載の血管内タック。
【請求項２８】
前記自己拡張する管状ボディが約１５ｍｍ以下の長さを有する請求項２４に記載の血管内タック。
【請求項２９】
前記外径の範囲が、約１．５ｍｍから約５ｍｍ、及び約２ｍｍから約７．５ｍｍのうちの一つである請求項２４に記載の血管内タック。
【請求項３０】
近位端、遠位端、及び、中心軸に沿って貫通して延びる内腔を有する自己拡張する管状ボディを備え、前記ボディが複数の金属支柱を備え、２．５ｍｍの外径拡張範囲にわたる径方向拡張力の変化が約１ニュートン（Ｎ）以下である、血管内タック。
【請求項３１】
少なくとも３ｍｍの外径拡張範囲にわたる径方向拡張力の変化が約１ニュートン（Ｎ）以下である請求項３０に記載の血管内タック。
【請求項３２】
前記径方向拡張力が３ｍｍでの約２ニュートン（Ｎ）よりも大きくない力から、６ｍｍでの約１Ｎよりも大きくない力へ下降する請求項３０に記載の血管内タック。
【請求項３３】
前記自己拡張する管状ボディが約８ｍｍ以下の長さを有する請求項３０に記載の血管内タック。
【請求項３４】
近位端、遠位端、及び、貫通して延びる内腔を有する自己拡張する管状ボディを備え、前記自己拡張する管状ボディは、複数の金属支柱を備えるとともに、約１５ｍｍ以下の長さを有し、少なくとも４ｍｍの範囲にわたって径方向に拡張できるとともに、約４ニュートン（Ｎ）以下の前記拡張範囲の全体にわたって径方向拡張力を顕示する、血管内タック。
【請求項３５】
送達のために圧縮されて展開時に自己拡張するように構成される血管内タックであって、
近位端、遠位端、及び、中心軸に沿って貫通して延びる内腔を有する自己拡張する管状ボディを備え、前記ボディが複数の金属支柱を備え、
前記管状ボディは、該管状ボディを外径の範囲に沿って圧縮するために必要とされる径方向力の大きさの指標である圧縮力曲線を有するとともに、前記管状ボディがその範囲が少なくとも約３ｍｍである外径の範囲に沿って径方向に自己拡張するときに前記管状ボディにより及ぼされる径方向力の大きさの指標である拡張力曲線を有し、前記拡張力曲線に沿う径方向力の変化は、前記外径の範囲に沿って３ニュートン（Ｎ）以下である、
血管内タック。
【請求項３６】
前記拡張力曲線に沿う径方向力は、前記外径の範囲内に沿って間で１ニュートン（Ｎ）以下だけ変化する請求項３５に記載の血管内タック。
【請求項３７】
前記自己拡張する管状ボディの外径の範囲が約３ｍｍから約６ｍｍである請求項３５に記載の血管内タック。
【請求項３８】
前記外径の範囲が、約１．５ｍｍから約５ｍｍ、及び約２ｍｍから約７．５ｍｍのうちの一つである請求項３５に記載の血管内タック。
【請求項３９】
３ｍｍ及び６ｍｍの両方における前記自己拡張する管状ボディの径方向力が約２ニュートン（Ｎ）以下である請求項３７に記載の血管内タック。
【請求項４０】
前記自己拡張する管状ボディが約１５ｍｍ以下の長さを有する請求項３５に記載の血管内タック。
【請求項４１】
前記拡張力曲線に沿う径方向力は、前記外径の範囲に沿って２ニュートン（Ｎ）以下だけ変化する請求項３５に記載の血管内タック。
【請求項４２】
前記自己拡張する管状ボディの非制約拡張直径が約６ｍｍ以上である請求項３７に記載の血管内タック。
【請求項４３】
前記外径の範囲内の全体にわたる径方向拡張力が約３ニュートン（Ｎ）以下である請求項３５に記載の血管内タック。
【請求項４４】
前記外径の範囲が前記血管内タックの前記拡張力曲線の作業部分に相当する請求項３５に記載の血管内タック。
【請求項４５】
近位端、遠位端、及び、中心軸に沿って貫通して延びる内腔を有する自己拡張する管状ボディを備え、前記ボディが複数の金属支柱を備え、
前記管状ボディは、該管状ボディを外径の範囲に沿って圧縮するために必要とされる径方向力の大きさの指標である圧縮力曲線を有するとともに、前記管状ボディが前記外径の範囲に沿って径方向に自己拡張するときに前記管状ボディにより及ぼされる径方向力の大きさの指標である拡張力曲線を有し、前記管状ボディにより前記外径の範囲に沿って自己拡張する時に及ぼされる径方向拡張力の変化は、前記外径の範囲が少なくとも約２ｍｍであるときに約１ニュートン（Ｎ）以下である、
血管内タック。
【請求項４６】
前記外径の範囲が、少なくとも約３ｍｍである請求項４５に記載の血管内タック。
【請求項４７】
前記外径の範囲が、約１．５ｍｍから約５ｍｍ、及び約２ｍｍから約７．５ｍｍのうちの一つである請求項４５に記載の血管内タック。
【請求項４８】
前記自己拡張する管状ボディが約８ｍｍ以下の長さを有する請求項４５に記載の血管内タック。
【請求項４９】
送達のために圧縮されて展開時に自己拡張するように構成される血管内タックであって、
近位端、遠位端、及び、貫通して延びる内腔を有する自己拡張する管状ボディを備え、前記ボディが複数の金属支柱を備え、
前記管状ボディは、該管状ボディを外径の範囲に沿って圧縮するために必要とされる径方向力の大きさの指標である圧縮力曲線を有するとともに、前記管状ボディがその範囲が少なくとも３ｍｍである外径の範囲に沿って径方向に自己拡張するときに前記管状ボディにより及ぼされる径方向力の大きさの指標である拡張力曲線を有し、前記圧縮力曲線と前記拡張力曲線との間の径方向力の差は、前記外径の範囲に沿って約３ニュートン（Ｎ）以下である、
血管内タック。
【請求項５０】
前記圧縮力曲線及び前記拡張力曲線の径方向力の間の差は、前記外径の範囲に沿って約２ニュートン（Ｎ）以下である請求項４９に記載の血管内タック。
【請求項５１】
前記圧縮力曲線及び前記拡張力曲線の径方向力の間の差は、前記外径の範囲に沿って約１ニュートン（Ｎ）以下である請求項４９に記載の血管内タック。
【請求項５２】
前記血管内タックが４フレンチ（Ｆｒ）デバイス又は６フレンチ（Ｆｒ）デバイスである請求項４９に記載の血管内タック。
【請求項５３】
前記外径の範囲は、約１．５ｍｍから約５ｍｍ、及び、約２ｍｍから約７．５ｍｍのうちの１つである請求項４９に記載の血管内タック。
【請求項５４】
前記外径の範囲は、約７．５ｍｍから約３ｍｍ、約５．５ｍｍから約１．５ｍｍ、及び、約６ｍｍから約３ｍｍのうちの１つである請求項４９に記載の血管内タック。
【請求項５５】
前記外径の範囲は、３ｍｍから約６．５ｍｍを含み、前記圧縮力曲線と前記拡張力曲線に沿った各々の点における前記圧縮力曲線と前記拡張力曲線との間の径方向力の差は、約１ニュートン（Ｎ）以下である請求項４９に記載の血管内タック。
【請求項５６】
前記拡張力曲線に沿う径方向力は、前記外径の範囲に沿って約１ニュートン（Ｎ）以下だけ変化する請求項４９に記載の血管内タック。
【請求項５７】
前記自己拡張する管状ボディの非制約拡張直径が約６ｍｍを超える請求項４９に記載の血管内タック。
【請求項５８】
前記外径の範囲内の全体にわたって径方向拡張力が約３ニュートン（Ｎ）以下である請求項４９に記載の血管内タック。
【請求項５９】
前記外径の範囲が前記血管内タックの前記拡張力曲線の作業部分に相当する請求項４９に記載の血管内タック。